(57)【特許請求の範囲】
【請求項１】
開口を有しその開口内にハロゲンランプ用のランプソケットを有し前記ランプソケットに装着された前記ハロゲンランプのまわりに反射板を有するとともに前記開口の内周面に係止用の凸部を有する器具本体と、前記開口を閉じるように配置されるものであって周面から径方向内方にかけて約３ｍｍの範囲で圧縮応力と引張応力が交互に連続している強化ガラスと、他の部材と別体に設けられステンレス材によるリング状であり内周側が内つば状に形成されるとともに表面を鏡面に形成し前記内周側で前記強化ガラスの周縁部の前記ハロゲンランプ側の表面の全周を被覆して前記ハロゲンランプの破片が前記強化ガラスの前記周縁部から径方向内方約３ｍｍまでの部分に接触するのを防止する強化ガラス保護部材と、前記器具本体の前記開口の前方から前記凸部に着脱自在に係止する取付け用の係止部を有して前記強化ガラスの前記周縁部を保持する前面ガラス取付枠とを備えた照明器具。
【発明の詳細な説明】
【０００１】
【発明の属する技術分野】
この発明は、照明器具に関するものである。
【０００２】
【従来の技術】
蛍光灯等の高温にならないランプを使用した前面パネル付照明器具においては、器具内部が高温になることがなく、ランプが破損することもない。このため、ランプ破損による前面パネルの破損を防止する構造を施す必要性はなく、器具外部からの外的衝撃や外圧によるパネルの変形や破損を防止する構造が施こされておればパネル破損の問題はない。
【０００３】
これに対して、点灯時に高温となるハロゲンランプ（ランプ表面が約７００℃）を使用する照明器具においては、万一のランプ破損によるパネルの破損防止構造を施す必要がある。このため、ハロゲンランプ用照明器具では、前面パネルに主として強化ガラスを用いている。
この種の従来例を図５および図６に示す。すなわち、この照明器具は天井埋込型であり、７０は器具本体、７１はランプソケット、７２はミニハロゲンランプ、７３は反射板、７４はコーン、７５はコーン取付具、７６は強化ガラス受け、７７は強化ガラス７８の周縁に１２０度の間隔で配置された複数のガラス押え、７９は天井である。
【０００４】
【発明が解決しようとする課題】
しかし、強化ガラス７８はその製造の過程で強化ガラス７８の周縁部ほど応力が強くかかっており、周面７８ａから径方向内方約３ｍｍまでは応力が径方向に沿って変化しており、周縁部に応力が強く入っていることがわかる。すなわち偏光顕微鏡観察では図７に示すように、周面７８ａから径方向内方にかけて約３ｍｍの範囲で圧縮応力の範囲ａ，引張応力の範囲ｂの順序で交互に圧縮応力および引張応力が連続している。
【０００５】
この周縁部にランプ破損時の高熱であるフィラメントおよびランプガラス等のランプ破片が接触すると、強化ガラス７８に熱衝撃がかかり、強化ガラス７８が破損するおそれがあることが確認されている。
したがって、この発明の目的は、ハロゲンランプの破損による強化ガラスの破損を防止することができる照明器具を提供することである。
【０００６】
【課題を解決するための手段】
請求項１の照明器具は、開口を有しその開口内にハロゲンランプ用のランプソケットを有し前記ランプソケットに装着された前記ハロゲンランプのまわりに反射板を有するとともに前記開口の内周面に係止用の凸部を有する器具本体と、前記開口を閉じるように配置されるものであって周面から径方向内方にかけて約３ｍｍの範囲で圧縮応力と引張応力が交互に連続している強化ガラスと、他の部材と別体に設けられステンレス材によるリング状であり内周側が内つば状に形成されるとともに表面を鏡面に形成し前記内周側で前記強化ガラスの周縁部の前記ハロゲンランプ側の表面の全周を被覆して前記ハロゲンランプの破片が前記強化ガラスの前記周縁部から径方向内方約３ｍｍまでの部分に接触するのを防止する強化ガラス保護部材と、前記器具本体の前記開口の前方から前記凸部に着脱自在に係止する取付け用の係止部を有して前記強化ガラスの前記周縁部を保持する前面ガラス取付枠とを備えたものである。
【０００７】
請求項１の照明器具によれば、強化ガラスの周縁部の全周を被覆する強化ガラス保護部材を設けたため、万一ハロゲンランプが破損して、高温であるフィラメントやランプガラス等の破片が強化ガラスに飛来しても強化ガラスの周縁部には接触しないので、強化ガラスの破損を防止することができる。 
【０００８】
また強化ガラス保護部材の表面が鏡面であり、ハロゲンランプの光が強化ガラス保護部材を加熱しないため外郭温度上昇が抑制できるとともに、ハロゲンランプの光が強化ガラスの周縁部を照射しないので、強化ガラスの周縁部の温度が低減し、最高温度部である強化ガラスの中心の温度上昇が抑制できる。
【０００９】
【発明の実施の形態】
この発明の第１の実施の形態を図１および図２により説明する。すなわち、この照明器具は、器具本体１と、強化ガラス２と、強化ガラス保護部材３とを有する。
器具本体１は、開口４を有し、開口４内にハロゲンランプ用のランプソケット５を有する。実施の形態では、器具本体１は上端にアーム６を設け、アーム６の上端のフランジ６ａの部分を天井（図示せず）に取付けている。この器具本体１にランプソケット５を取付け、ランプソケット５の前方の周囲を被覆するようにセード７を器具本体１にねじ８により一体に取付け、セード７の前端に前面ガラス取付枠１８が取付られる。またランプソケット５に装着されるハロゲンランプ１０を包囲する略筒状のミラー支持部材１１を、ねじ１２によりセード７に取付け、ミラー支持部材１１の内部にダイクールミラー１３を挿入し、ダイクールミラー１３の先端部をハロゲンランプ１０に通してミラー支持部材１１のソケット側端部の内つば１４に係止し、ミラー支持部材１１の開口側端部の内周に形成した周溝１５に固定リング１６を嵌合し、この固定リング１６でダイクールミラー１３を押え固定している。ハロゲンランプ１０はミニハロゲンランプを用いている。
【００１０】
強化ガラス２は、開口４を閉じるように器具本体１に設けられている。実施の形態では前面ガラス取付枠１８の内周に形成した内つば１９のランプソケット５側に強化ガラス２を載せている。
強化ガラス保護部材３は、強化ガラス２の周縁部２ａのランプ側の全周を被覆するように器具本体１に設けられてハロゲンランプ１０の破片が強化ガラス２の周縁部２ａに接触するのを防止する。実施の形態の強化ガラス保護部材３は、表面を鏡面に形成したステンレス材によりリング状に形成され、かつ内周側が低くなるように段曲げされて、内周側により強化ガラス２の周縁部２ａの外周から径方向の内方に約５ｍｍの幅を被覆し、外周側をねじ１７により前面ガラス取付枠１８に取付けて、強化ガラス２ａを押え固定している。そして、前面ガラス取付枠１８は外周につばを設け、セード７の先端の係止部７ａを通す切欠凹部（図示せず）をつばに形成し、バヨネット式に差込み回転により前面ガラス取付枠１８をセード７の係止部７ａに取付けている。
【００１１】
この照明器具は、ランプソケット５に給電されてハロゲンランプ１０が点灯し、直射光が強化ガラス２を透過して外部に放射するとともに、ダイクールミラー１３を反射して強化ガラス２を透過し、これらにより照明が行なわれる。
この実施の形態によれば、強化ガラス２の周縁部２ａの全周を被覆する強化ガラス保護部材３を設けたため、万一ハロゲンランプ１０が破損して、高温であるフィラメントやランプガラス等の破片が強化ガラス２に飛来しても強化ガラス２の周縁部２ａには接触することがないので、強化ガラス２の破損を防止することができる。したがって、強化ガラス２の外周から内方に約３ｍｍの範囲の応力分布が変化している部分にランプ破損時の高熱であるフィラメント等が接触することがなくなる。
【００１２】
また強化ガラス保護部材３の表面が反射面であるため、ハロゲンランプ１０の光が強化ガラス保護部材３を加熱しないため外郭温度上昇が抑制できるとともに、ハロゲンランプ１０の光が強化ガラス２の周縁部２ａを照射しないので、強化ガラス２の周縁部２ａの温度が低減し、最高温度部である強化ガラス２の中心の温度上昇が抑制できる。
【００１３】
なお前面ガラス取付枠１８の内つば１９の外表面にカラー板や拡散板等のフィルタを接着等により接着してもよい。
図３および図４は参考例である。すなわち、この照明器具は天井埋込型であり、天井取付具（図示せず）により取付けられる器具本体１は天部の中央にランプソケット５を設け、ランプソケット５にハロゲンランプ１０を装着している。またランプソケット５を囲むように反射板受け２０を設けるとともに、器具本体１の内側面に中心に向けて突出したくの字形のコーン取付ばね２１を設けている。コーン２２の上端部にコーン２２よりも大径の前面ガラス取付枠２３を取付け、コーン２２を器具本体１内に挿入すると、前面ガラス取付枠２３がコーン取付ばね２１の屈曲部を乗り越えて係止し、これによりコーン２２を器具本体１に取付けている。前面ガラス取付枠２３には強化ガラス２を載せ、強化ガラス２の周面から径方向内方の約３ｍｍの範囲以上の周縁部２ａが反射板２４の内周面から外側に位置するように、強化ガラス２の外径よりも小さい内径の開口をもつラッパ形の反射板２４を強化ガラス２の上に載せ、反射板２４の上端部をハロゲンランプ１０に通して反射板受け２０にコーン取付ばね２１により係合している。したがって、反射板２４が強化ガラス保護部材３を兼ねている。２７は天井材２５の埋込穴２６の縁部を被覆する枠である。
【００１４】
この実施の形態によれば、反射板２４の開口の内径が強化ガラス２の外径よりも小さいため、強化ガラス２の周縁部２ａを反射板２４の外側に位置させることができ、ハロゲンランプ１０の破片が強化ガラス２の周縁部２ａに届かなくなる。またハロゲンランプ１０の光も周縁部２ａを照射できない。このため、第１の実施の形態と同様な作用効果がある。
【００１５】
【発明の効果】
請求項１の照明器具によれば、強化ガラスの周縁部の全周を被覆する強化ガラス保護部材を設けたため、万一ハロゲンランプが破損して、高温であるフィラメントやランプガラス等の破片が強化ガラスに飛来しても強化ガラスの周縁部には接触しないので、強化ガラスの破損を防止することができる。
【００１６】
また強化ガラス保護部材の表面が鏡面であり、ハロゲンランプの光が強化ガラス保護部材を加熱しないため外郭温度上昇が抑制できるとともに、ハロゲンランプの光が強化ガラスの周縁部を照射しないので、強化ガラスの周縁部の温度が低減し、最高温度部である強化ガラスの中心の温度上昇が抑制できる。
【図面の簡単な説明】
【図１】この発明の第１の実施の形態の一部破断側面図である。
【図２】その部分拡大図である。
【図３】  参考例の断面図である。
【図４】その部分拡大図である。
【図５】従来例の半断面側面図である。
【図６】強化ガラスを示し、（ａ）は側面図、（ｂ）は平面図である。
【図７】強化ガラスの周縁部の応力を説明する説明図である。
【符号の説明】
１    器具本体
２    強化ガラス
３    強化ガラス保護部材
４    開口
５    ランプソケット
１０    ハロゲンランプ
【図１】
0004183773.tif 000002
【図２】
0004183773.tif 000003
【図３】
0004183773.tif 000004
【図４】
0004183773.tif 000005
【図５】
0004183773.tif 000006
【図６】
0004183773.tif 000007
【図７】
0004183773.tif 000008